(57)【要約】  任意のネットワーク（オーバーザトップ）を介するＩＰＴＶ、ケーブル、衛星、モバイル、ブロードバンド配信の広告挿入の管理を統合するシステム及びソーシャルネットワーク配信が提示される。広告管理が配信ネットワーク及びクライアント装置から抽出されるシステム。広告管理データが信用ルートに遡って認証され、データが認証を介して保護されるシステム。本発明の一要素は、異なる配信ネットワークにわたる動的広告挿入及び動的広告仲介を提供する。本発明の別の要素は、ＳＴＢ、ＰＣ、携帯電話、ブルーレイ、ゲームコンソール、及び他の任意の種類のクライアント装置の広告挿入メタデータ及び処理を統合する。【選択図】なし
2011529231.tif 000002
【特許請求の範囲】
【請求項１】
信用データを含む広告管理（ＡＭ）データを広告アベイルに関連付けることにより、広告コンテンツの配信を管理する方法であって、配信システムを介してアベイルを有するコンテンツを配信すること、アベイルを有するコンテンツを検出すること、前記アベイルのＡＭデータを取得すること、ＡＭデータの信用データ部分を認証すること、ＡＭデータを処理して、アベイルにデータを提供する権利を有するエンティティを決定すること、アベイル処理情報を、権限付与された管理エンティティから取得すること、及び権限付与された管理エンティティからの命令に基づいて、広告コンテンツをアベイル内に挿入することを特徴とする、広告コンテンツの配信を管理する方法。
【請求項２】
作成され、広告アベイルに関連付けられたＡＭデータは、コンテンツ内に含まれるデータである、請求項１に記載の広告コンテンツの配信を管理する方法。
【請求項３】
広告アベイルに関連付けられたＡＭデータは、コンテンツ外部に記憶され、コンテンツＩＤを介してコンテンツに関連付けられるデータであり、ＡＭはコンテンツＩＤを使用して得られる、請求項１に記載の広告コンテンツの配信を管理する方法。
【請求項４】
アベイルを管理する権利を有するエンティティを決定することは、コンテンツ配信中に動的に決定され、別の信用エンティティにより信用性を確立したエンティティにより認可される、請求項１に記載の広告コンテンツの配信を管理する方法。
【発明の詳細な説明】
【技術分野】
【０００１】
関連出願の相互参照
本国際特許出願は、２００８年７月２３日に出願された特許出願第６１０８２８３０号明細書の米国仮出願の優先権の恩益を主張するものである。この関連する仮出願の内容は、参照により本明細書に援用される。
【０００２】
連邦政府による資金提供を受けた研究開発
該当せず
【０００３】
配列リスト、表、又はコンピュータリストへの参照
該当せず
【０００４】
著作権情報
本特許文書の開示の一部分には、著作権保護の対象である素材が含まれる。著作権所有者は、特許商標庁内で見られる特許文献若しくは特許開示、特許出願、又は特許記録のいかなる人物によるファクシミリ複製に対しても異議を唱えないが、その他の点ではたとえそれが何であろうとも、すべての著作権を保有する。
【０００５】
発明の分野
本発明は、電子広告システムに関し、より詳細には、広告の配信・管理システムに関する。
【背景技術】
【０００６】
今日の広告システムは、コンテンツをパーソナルコンピュータ（ＰＣ）、セットトップボックス（ＳＴＢ）、又は携帯電話等の単一種類のクライアントに固有なように配信するように設計される。今日のシステムは、クロスプラットフォーム（ＰＣ、ＳＴＢ、モバイル等）サポートを欠き、広告が個人を動的に標的にする動的広告配信をサポートしない。さらに、広告管理システムは、異なる種類のネットワーク、異なる種類のコンテンツにわたるコンテンツプロバイダからクライアント装置への広告配信の追跡に関して上手く機能しない。
【先行技術文献】
【特許文献】
【０００７】
【特許文献１】米国仮特許出願第６１／１４２，３６７号明細書
【非特許文献】
【０００８】
【非特許文献１】Windows Server 2003 Security Infrastructure in chapter 14 titled "Trust in Windows Server 2003 PKI"
【発明の概要】
【発明が解決しようとする課題】
【０００９】
上記に鑑みて、改良された広告管理システムが必要である。
【００１０】
本発明は限定ではなく例として添付図面の図に示され、図面中、同様の参照番号は同様の要素を指す。
【課題を解決するための手段】
【００１１】
広告モデルが、テレビ等の単一のプラットフォームへの広告配信を超えて拡大しており、現在、広告は、ＲＦＩＤ技術又は近距離通信技術を使用する個人の地理的場所に基づいて送信することができるため、改良された広告管理システムが必要である。
【００１２】
本発明の目的は、定義される広告管理データシステム（ＡＭＳ）を介して広告の管理及び他のコンテンツ関連処理を提供することである。ＡＭＳは、クロスプラットフォーム（セットトップボックス、ＰＣ、携帯電話等）広告配信を提供し、コンテンツが世界規模で、異なる種類のクライアント装置間で移動する際の、コンテンツ及び広告の配信中の広告作成処理、広告除去処理、広告所有権変更処理を含む。
【００１３】
したがって、本発明の目的は、個人の地理的場所及び使用中のクライアント装置の種類に関係なく、広告を個人に配信することである。
【００１４】
本発明の別の目的は、広告が広告主、他のコンテンツ所有者、及び他に動的に仲介される状態で、広告配信中に個人への広告の配信を安全に管理し追跡することである。
【００１５】
本発明の別の目的は、広告が家庭内のケーブルテレビ加入者のみに配信されるような単一のネットワーク配信解決策に制限されない広告システムを提供することである。
【００１６】
本発明の別の目的は、加入者及び加入者所有の装置への広告配信を管理し、それにより、異なるオペレータにわたり加入者アカウント又は加入者アカウント群の下で所有されるか、又は動作する装置ドメインへの広告の管理及び配信を確立することである。
【００１７】
目的：広告及び情報のクロスプラットフォーム（ＳＴＢ、モバイル、ＰＣ、ゲームコンソール等）配信の管理システム及び枠組みを提供すること。広告枠が識別され、広告及び情報がその広告枠内に挿入される、広告または情報を供給するシステムを確立すること。広告枠は、コンテンツの作成段階中、制作段階中、又は配信段階中に随時作成することができ、広告枠は、デフォルト広告枠データを含む、選択されたコンテンツであってもよく、又はコンテンツストリームが、挿入された広告若しくは情報を有することができる場所を示す識別子若しくはインデックス表であってもよい。
【００１８】
本発明の別の目的は、今日、市販されている多くのターゲット広告配信システムの統合された管理システム及び枠組みを提供することである。本発明は、ターゲット広告管理を統合し、ターゲット広告の作成、生成、使用、課金、販売、及び配信に関わるコンテンツ所有者、広告代理店、コンテンツ配信者、広告主、製品製造業者、及び他が、ターゲット広告配信システムの製造業者、広告切り替え技術、及びターゲット広告システムを加入者に接続するネットワーク技術に関係なく、任意の数の別個のターゲット配信システムとインタフェースする単一の広告管理システムを使用できるよにする。別の目的は、ターゲット広告の作成、管理、配信、再生、広告加入、広告オークション、ログ記録、課金、及びセキュリティのすべての側面でのデータ、メタデータ、データ構造、及び処理関数を含む統合された拡張可能な権利記述言語を提供することである。
【００１９】
本発明の別の態様は、プレーヤ装置又はシステムのユーザがコンテンツに定義された広告枠又は情報枠に関して何ができるかに対する事前定義される制限を含む権利言語を定義する、広告又は情報を挿入する権利を保護する管理機能を確立することである。
【００２０】
広告及び情報管理の枠組みの別の態様は、広告又は情報データが受信装置（プレーヤ）に配信されることを保証し、システムでの広告又は情報のスキップ又は除去を回避することである。本発明による技法は、システムのユーザが何も支払わない無料システム、ユーザがシステムへのアクセス料金を支払う完全有料システム、及び広告収入をコンテンツ配信システムの収益要素として使用するシステムに適用可能である。
【００２１】
本発明によるさらに別の要素は、データ（広告又は情報）が装置に配信され、その装置が、コンテンツ再生中、記録中、又はネットワークに接続し、動的データを受信可能なとき、コンテンツの記憶中、又は他の任意のときに動的データを挿入する、動的データ管理である。動的データ管理及び動的データ配信の一適用例は、ターゲット広告及びターゲット情報を装置、加入者、又はシステムユーザに配信することをサポートするために有用である。
【図面の簡単な説明】
【００２２】
【図１】ＡＭデータブロックの追加を示す任意の形態のコンテンツの高レベルブロック図を提供する。
【図２】ＡＭデータの追加前後のコンテンツの図を提供する。
【図３】様々な認証鍵階層を有するコンテンツの図を提供する。
【図４】コンテンツが配信される際に行われる動的広告仲介の図を提供する。
【図５】ＡＭビジネスモデル処理の図を提供する。
【図５Ａ】補助付きコンテンツ配信を広告するＡＭビジネスモデル処理の図を提供する。
【図６】ＡＲＭデータブロック内に含まれる少数のフィールドを示すＡＲＭデータブロック例の高レベルブロック図を提供する。
【発明を実施するための形態】
【００２３】
詳細な説明
本発明は、詳細な図及び本明細書に記載の説明を参照することにより最良に理解される。本発明の実施形態について、図を参照して以下において考察する。しかし、本発明はこれら制限された実施形態を超えて拡張するため、これら図に関連して本明細書において付与される詳細な説明が説明を目的としていることを当業者であれば容易に理解するであろう。例えば、本発明の教示に照らして、説明され図示される以下の実施形態における特定の実施選択を超えて、本明細書において説明される任意の所与の細部の機能を実施するために、特定の用途のニーズに応じて、複数の代替及び適した手法を当業者であれば認めることを理解されたい。即ち、多すぎて列挙できないが、すべてが本発明の範囲内にある本発明の多くの変更及び変形が存在する。また、必要に応じて、単数形の言葉は複数形として、またこの逆の場合も同様に読まれるべきであり、男性名詞は女性名詞として、またはこの逆の場合も同様に呼ばれるべきであり、代替の実施形態は、それら２つが相互に排他的であることを必ずしも暗示しない。
【００２４】
これより、本発明について、添付図面に示される本発明の実施形態を参照して詳細に説明する。本特許出願では、略語ＡＭ及びＡＲＭは、処理、データ、データ構造、ファイルデータ、任意の種類のデータへのリンク等を含む広告管理システムの任意又はすべての構成要素に関して同義で使用される。
【００２５】
本特許出願では、用語「広告」は、任意の形態のコンテンツであって、別のコンテンツ内に挿入されるか、元のコンテンツと交換されるか、又は元のコンテンツに追加される、任意の形態のコンテンツに使用される。広告（Ａｄ）という用語の使用は、本特許出願では広告（ａｄｖｅｒｔｉｓｉｎｇ）の短縮形であるが、広告（Ａｄ）という用語は、以下：ビデオ、オーディオ、任意の形態の広告、教育、訓練、二進データ、写真、アプリケーション、アプレットデータ、任意の形態のプログラム、任意の形態のゲーム、Ｊａｖａプログラム、スクリプトデータ、及び任意の形態のデジタルデータを含むがこれらに限定されない任意の形態のコンテンツの総称である。コンテンツは、任意の形態又は種類のビデオ、オーディオ、又は二進データ（任意の形態の）であり得る。コンテンツの例としては、任意の形態のコンピュータ二進データ、ゲーム、ビデオ、オーディオ、音楽、写真、又は他の任意の種類のデータが挙げられるが、これらに限定されない。
【００２６】
選択−本発明は、ターゲット広告を加入者に送信でき、加入者がオプトインの恩恵を受けるように、加入者が自分又は家族の興味を明示することができるオプションを含む。恩益は様々であり得、コマーシャル数の低減、或いはコンテンツ、クーポン、特別な販売促進、又は豪華な玩具、ブランド物のシャツ、フリーコンテンツ、割引コンテンツ、若しくは他のインセンティブ／オファー等の目玉品又は特別品のコストの低減を含み得る。加入者情報は、加入者が選択したインジケータを含み、オプションとして、選択プロセスの一環として加入者により提供される追加データ又は加入者が消費したコンテンツ若しくは加入者について他のソースにより（銀行、クレジットカード会社、店、コンピュータソース等から）提供される外部データに基づく動的更新を含む。
【００２７】
ビデオ、オーディオ、ゲーム、及び他の種類のコンテンツを再生するＳＴＢ、ＰＣ、ブルーレイプレーヤ、ゲームプレーヤ等の多くの異なる種類のコンテンツプレーヤがある。これら同じプレーヤは、プレーヤにより通常サポートされる様々な種類のコンテンツに加えて、様々な形態の広告を再生するように再び目的付けられる。実際に、特定の形態の広告をコンテンツ配信ビジネスに適用して、システムを使用する人（加入者）がコンテンツを使用（閲覧、記録、視聴等）するために支払う料金を低減するか、又はなくすことができる。
【００２８】
今日、コンテンツ配信システムにおいて広告コンテンツを迂回又はなくす多くの方法がある。広告をなくす一方法は、デジタルビデオレコーダ（ＤＶＲ）及び広告の高速先送りを使用することである。しかし、そのような技術が使用されて、広告がスキップされる場合、広告主が料金を支払う広告が閲覧者により見られないため、そのようなシステムでの広告の価値は低減する。
【００２９】
コンテンツ配信システムの広告にサポートされるビジネスモデルが迂回されないことをシステムが確実にする必要がある。このシステムの本発明による要素は、任意の種類のプレーヤ又は装置でサポートされる。
【００３０】
本特許出願の本発明による要素は、任意の種類のコンテンツ（ビデオ、オーディオ、映画、ゲーム、テキストファイル、ドキュメントファイル、コンピュータファイル、ソーシャルネットワーキングサイトデータ、ウェブポータル、及び他の任意の形態又は電子のデータ又はファイル）に適用することが可能である。
【００３１】
広告−本特許出願では、広告（Ａｄ）又は広告（ａｄｖｅｒｔｉｓｅｍｅｎｔ）という用語は、任意の種類、任意の形態の広告、情報、又はデータを定義するために使用される。広告という用語は、使用される場合、任意の形態のデータを包含し、広告のみに限定されない。どのように配信されようとも、ファイル、ストリーム（メディア、オーディオ、ビデオ、ゲーム、テキスト、イメージ、バイナリ、アプリケーションデータ等）、及び任意の種類のデータに対するサポートが本発明により提供されることも想定され、総称である広告を任意の形態のデータを説明するために使用する。
【００３２】
コンテンツ−任意の形態の電子データ。例としては、コンテンツがどのように配信されるかに関わりなく、任意の種類のデータを含むファイル又は任意の種類のデータを含むストリーム（オーディオ、ビデオ、ゲーム、プログラム、又は他のデータ）が挙げられるが、これらに限定されない。
【００３３】
コンテンツ所有者−任意の形態のデータ又はコンテンツに対する権利を所有する個人、企業、又はエンティティ。
【００３４】
広告データ−任意の様式で装置に配信される任意の広告、情報、又は任意の種類のデータの総称。広告データは、コンテンツファイル、コンテンツストリームに追加することができ、別個のファイル又はストリームからアクセスし、電子プレーヤ（ＰＤＡ、ゲームシステム、携帯電話）、コンテンツを消費する装置（ＰＣ又は他の種類の装置）若しくはアプリケーション、又はコンテンツを受信するアプリケーションソフトウェアにより適宜組み合わせることができる。
【００３５】
広告枠−広告枠は、広告データの追加、挿入、除去、及び置換を任意の様式で行うことができるコンテンツの管理される部分である。広告枠は、コンテンツが再生、消費、又は表示される方法に関わりなく、広告データが挿入又は再生されるコンテンツ内の時間領域を定義することができる。広告の時間帯は、任意の管理技法を使用して作成され管理される。広告枠の作成及び管理の例としては、以下が挙げられるが、これらに限定されない。
【００３６】
【表１】
2011529231.tif 000003
【００３７】
広告データが含まれるデータの仮想（コンテンツに記憶されない外部ＡＭデータ）若しくは現実のデータ部分又は広告データが示される（位置決めされる）場所。現実枠の例は、ビデオストリーム又はファイルデータが、ビデオストリーム又はファイルデータ内に物理的に挿入された３０秒ビデオ広告のオーディオ及びビデオを含む場合である。仮想枠の例としては、広告データをファイル又はストリームに物理的に後の時間まで追加せずに、広告を挿入できるファイル又はストリーム内の場所を記述する仮想広告記述子が挙げられる。仮想広告記述子は、広告データを挿入できるプレースホルダを提供する。オプションの現記述データは、現実広告記述データに続くセクションが、後に別の広告で置換できる広告データを含むことを示すヘッダを提供する。現実広告記述子及び仮想広告記述子の両方のオプションの要素は、広告権利管理データを記述子又は別個のＡＲＭデータ構造内に含められることである。
【００３８】
本発明の一要素の一実施形態では、ＡＭデータが追加されるか、又はコンテンツ及びコンテンツ広告スプライス点に関連付けられる。例えば、コンテンツの再生開始時又は再生中に、コンテンツＩＤ又はコンテンツＡＭデータが使用されて、コンテンツ所有者、枠所有者、コンテンツに含まれる枠数、又は広告枠の管理に関連する他のデータが特定される。広告は、通常、コンテンツ再生中にコンテンツ内に動的に挿入することができ、または広告の挿入は、コンテンツが使用若しくは再生される前、又はコンテンツが再生された後、又はコンテンツの再生中、又はさらには個人のビデオ録画動作等（録画の予約、録画ライブラリへのアクセス、録画されたコンテンツの再生等のコンテンツに関連する特定の機能が実行中のときなど他の時間に行うこともできる。広告の挿入は、コンテンツ自体内である必要はなく、メインコンテンツストリーム（例えば、映画）が一時停止され、次に、メインコンテンツストリーム（例えば、映画又は音楽）とは別個のデータから広告が再生されることが本発明により想定される。ＡＭデータ及び本特許出願において説明される他のデータは、デジタル権利管理（ＤＲＭ）、限定受信システム（ＣＡＳ）、又は対称鍵暗号化及び公開／秘密鍵ＰＫＩベースの暗号化が挙げられるが、これらに限定されない任意の種類の暗号化を利用する他の種類のセキュリティシステムを含むが、これらに限定されない任意の形態の暗号化により安全化することができる。
【００３９】
クライアント又は装置−任意の形態の回路又はコンピュータチップ（ＣＰＵ、シングルチップコンピュータ、特定用途向け集積回路、ゲートアレイ（ＦＰＧＡ）を含む任意の形態のソフトウェア又は電子製品。装置の例としては、以下：セットトップボックス、ポータブルメディアプレーヤ、ｉＰｏｄ、ｉＰｈｏｎｅ、携帯電話、パーソナルコンピュータ、ゲームシステム（ＰＳ３、Ｘボックス、ゲームボーイ等）、任意の種類のＤＶＤプレーヤ、ブルーレイプレーヤ、又はＨＤ  ＤＶＤプレーヤ、ラップトップコンピュータ、及び他の種類のコンピュータ又はプレーヤ装置コンピュータコンテンツの処理が挙げられるが、これらに限定されない。本特許出願において使用される装置の別の例は、コンテンツと対話し、再生し、表現し、表示し、消費し、入力として使用し、又は他の任意の方法でコンテンツにアクセスする、コンピュータで実行されているソフトウェアである。
【００４０】
本発明は、広告管理に対する広範囲のサポートについて説明するが、たった１つのＣｏｎｔｅｎｔｎ＿ＩＤを広告管理に使用でき、Ｃｏｎｔｅｎｔ＿ＩＤはコンテンツ自体内にある必要さえもない。Ｃｏｎｔｅｎｔ＿ＩＤは、ＡＭデータを、コンテンツ外部のソースから読み取るために使用し、次に、動的に更新されて、コンテンツの広告及び広告挿入を変更することができる。一例では、チャネルの変更は、新しいＣｏｎｔｅｎｔ  ＩＤを使用して映画に対して行われ、次に、広告権利ソフトウェアが、コンテンツ枠情報を取得して、管理される広告枠の場所又は所有者を知る。
【００４１】
本特許出願において使用されるクライアント装置は、任意の形態のコンテンツの使用、消費、再生、アクセス、対話が可能な任意の形態のコンピュータ、消費者、又は他の電子装置であり得る。クライアント装置の例としては、携帯電話、無線識別（ＲＦＩＤ）又は近距離通信（ＮＦＣ）を有する携帯電話、セットトップボックス、パーソナルコンピュータ、ゲームプレーヤ、ＤＶＤプレーヤ、ブルーレイプレーヤ、ＨＤ−ＤＶＤプレーヤ、ゲームコンソール、ｉｐｏｄ又はｉｐｈｏｎｅ等）のメディアプレーヤ、ＰＤＡ、個人インターネットアクセス装置、任意の種類のアプリケーション又はウェブブラウザを実行しているパーソナルコンピュータ等が挙げられるが、これらに限定されない。クライアント装置は、ウェブブラウザ、ソフトウェアアプリケーション、ＢＤ−ｌｉｖｅ、Ｊａｖａ、ＭＨＰ、ＧＥＭ、ＯｐｅｎＴＶ、ＪａｖａＴＶ、及びクライアント装置で実行される他のソフトウェア、アプリケーション、スクリプトツール、仮想マシンソフトウェアを含む任意の装置で実行されるソフトウェアアプリケーションも含む。
【００４２】
本発明のいかなる要素も、ＳＣＴＥ規格１０４、１３０、３０、３５、１１８、ＤＶＳ８３９及び他においてケーブルテレビエンジニア協会により指定されるような既存の任意の広告システム、インタフェース、メッセージング、プロトコル、及びデータフォーマットを使用することができるか、又は協働することができる。例えば、任意のＳＣＴＥメタデータ、データフォーマット、インタフェース、トランスポート、メッセージングが、本明細書において説明されるＡＭデータを使用してサポート又は改良される。本明細書において説明される本発明による要素及び処理は、ＳＣＴＥ等のグループにより説明される広告システムを拡張し、階層型広告管理、安全で認証されるメッセージング、安全なデータ、プレーヤ制御、動的仲介、及び既存の規格へのモニタリングを追加する。
【００４３】
図１は、ＡＭデータブロックの追加を示す任意の形態のコンテンツの高レベルブロック図を提供する。この図に示されるＡＭデータブロックは、コンテンツ内で定期的に繰り返すことができ、この図に示されるＡＲＭデータブロック内のＡＲＭデータフィールドは、コンテンツ内の異なるブロック間で変化し得る。例えば、ＡＲＭデータブロック内の枠ＩＤフィールドは、コンテンツ内で定義される各枠毎に変化し得る。ＡＲＭデータブロックは、図１に示されるようにコンテンツ内に追加することもでき、或いは通信チャネル（別個のＭＰＥＧ２トランスポートストリームプログラムＩＤ（ＰＩＤ）ストリーム、別個のデータチャネル、別個のデータ配信方法（ファイル転送、ＨＴＴＰ、データプッシュ、データプル等）、ＤＶＢ権利管理メッセージ（ＥＭＭ）ストリーム若しくはデータ配信、ＤＶＢ  ＥＣＭ（権利制御メッセージ）ストリーム若しくはデータ配信、ファイル配信、又は他の任意のデータ配信方法を含む任意の配信方法例を使用して、ＡＭデータのうちの任意又は全てをコンテンツとは別個に配信してもよい。ＡＭデータブロックは、他のデータブロックと同じ情報を含んでもよく、又はＡＲＭデータブロック内で搬送されるデータに応じて異なるデータブロックを含んでもよい。
【００４４】
広告枠は、ＡＭデータをコンテンツに追加することにより、又はＡＭデータをコンテンツに関連付けることにより作成される。広告枠は、コンテンツ所有者又は挿入を行うことができるコンテンツ内のエリアを識別する別のエンティティ等の任意のエンティティにより追加可能である。枠は、わずかＳＣＴＥ３５（又は同様の）広告挿入データを使用して識別することができ、又はコンテンツ内に挿入された物理的データ、コンテンツとは別個のデータ、若しくはこれら任意のものの組み合わせにより識別することができる。ＡＭデータにコンテンツが関連付けられ、コンテンツにＡＭデータが記憶されない場合、任意の形態のコンテンツＩＤ、コンテンツ情報、又はプログラム情報が、コンテンツの識別に使用され、コンテンツ以外の任意のソースから識別されたコンテンツのＡＭデータにアクセスされる。
【００４５】
図１はＡＭデータの例。図１におけるＡＭデータフィールドのうちの任意の１つ又は複数は、コンテンツに追加されるか、又はＡＭデータがコンテンツに記憶されないが、コンテンツ外部からアクセス可能な場合には、コンテンツにリンク若しくは関連付けられる。さらに、広告枠データ１１１又はＡＭデータ１１３は通常、コンテンツ内で繰り返される。
【００４６】
要素１１０−オプションのコンテンツファイルヘッダを有するコンテンツ−コンテンツファイルヘッダ、チャネルガイド、ＤＶＢ−システム情報テーブル（又は同様のもの）、ファイル記述子等のコンテンツ内の任意の形態のデータ。これは、通常、プログラミングソース、エンコーダ等により生成される、ファイルに関連付けられるデータである。広告権利データもなければ、枠データもない、コンテンツ又はコンテンツを構成するデータの部分セグメント又は完全なデータセット。ビデオの場合、コンテンツ１０６は、実際のビデオシーンデータ（例えば、ｍｐｅｇ２／４データ）であり、オーディオｍｐ３データ、ゲームの場合、ゲーム二進データ又はプレーヤデータ等である。
【００４７】
要素１１３−広告管理（ＡＭ）データ−ＡＭデータブロック。このデータブロックは、ＡＲＭデータブロックの後にいくつの枠が続くか、又は１つの枠ポインタによりいくつの枠がグループ化されるかに応じて１つ又は複数の枠を管理するための情報を含む。ＡＭデータブロックは、コンテンツの冒頭、広告枠若しくはアベイルの前、コンテンツの末尾、又はコンテンツ内の他の任意の場所に追加することができ、コンテンツとは別個に配信することもできる。ＡＭデータはコンテンツ内にある必要はなく、コンテンツとは別個にアクセスしてもよく、又はコンテンツからのＡＭデータをコンテンツ外部の他のソースからのＡＭデータと組み合わせてデータにアクセスしてもよい。
【００４８】
要素１１２−レガシー広告キュートーン又は広告キュースプライスポイントデータ−広告を現在のポイント又は次回のポイントに挿入又は差し込むことができる任意の形態のデータ、信号、又はインジケータ。例としては、ＳＣＴＥ３５データが挙げられるが、これに限定されない。レガシー広告キュートーンはアナログ又はデジタルであり得、広告が挿入されるコンテンツ内の実際のスペースに先行し得る。
【００４９】
要素１１７−追加のＡＭ又は他のデータ−これは、１つ又は複数の枠の管理に使用される追加データである。このデータフィールドは、コンテンツ又は広告を管理する他の人又はエンティティ用に複製されたＡＭデータを含み得る。一例では、枠は仲介され、他のＡＭデータ１１７は、管理される子枠のＡＭ  ＩＤ、ＡＭヘッダ、枠ＩＤ、コンテンツ所有者名フィールド、又は他のフィールドを含む。子枠とは、親の下に作成される枠であり、この図では、すでに説明された枠は親枠であり、子枠は、子枠についてすでに説明されたデータのうちのいくつか又はすべてを複製する。他データの一例は、コンテンツ所有者により提供されるデータである。別の例は、枠がコンテンツ所有者により販売され、コンテンツ所有者が、コンテンツの制作中又は処理中に枠所有者による追加データの追加を許可した場合、枠所有者により提供されるデータである。システムは、枠所有者又は均等物の情報を含む他のデータなしで他に販売又は仲介される枠をサポートし、導入状況によっては、コンテンツを消費者に配信する前に枠所有者が分かっており、枠所有者は、コンテンツ所有者に加えて、追加データをＡＲＭデータ１０８に追加することができる。この他データは、別のエンティティにより所有されるス枠の所有者名又はＩＤ１２２（この枠の所有者名又はＩＤ１２２ではない）、所有者／枠データ１２４、オプションの枠ポイント１２５、及び追加の署名フィールド１２６と同様又は同一の追加の枠所有者／管理データを含むこともでき、この他データ１２８は、親枠から導出される１つ又は複数の新しい子枠の複製された枠所有権データ及び枠管理データを含む。親枠は、ＡＲＭ  ＩＤ１２０、所有者名１２２、所有者枠データ１２４、及び署名１２６の最初のインスタンスである。子枠データは、各子枠の他データ１２８内の親枠データと同様又は同じフィールドの複製である。このデータフィールドは、広告配信に関わる複数のエンティティに対して繰り返すことができる。このデータフィールドは、オプションとして、映画のタイトル、格付け、俳優、女優、プロデューサー、獲得した賞、制作年度、映画のジャンル等の映画についての情報等のコンテンツ関連データ又はコンテンツ関連データへのリンクを含む。コンテンツ関連データ及び他のＡＲＭデータフィールドは、本特許出願の他の部分で説明する広告仲介処理において使用される。
【００５０】
追加されるＡＭデータの別の用途は、枠ＧＰＳのサポートである。枠ＧＰＳとは、異なるビジネスモデル及び異なるＡＭ処理を枠ＧＰＳデータに基づいて適用できるようにする、ＡＭデータの枠の地理に基づく処理を説明するデータである。枠ＧＰＳデータは、ＡＭジオフィルタリングデータを提供し、ＡＭ処理、ＡＭデータ、及びＡＭビジネス規則に適用される。枠ＧＰＳは、地理的データに基づく単一のアベイルの個々の管理ほど細かい粒度を提供する。枠ＧＰＳデータの例としては、以下が挙げられるが、これらに限定されない。
ａ．欧州で広告スキップが許される。
ｂ．メキシコでは最短広告時間が３０秒である。
ｃ．領域１１９〜２２５（任意の陸地領域）での広告スキップが許されない。
ｄ．南アメリカではエンティティＳＡにより所有されるレベル２（コンテンツ所有者のアベイル又は枠以下）である。
ｅ．特定の日／期日まで領域４５４５２〜４７０００においてすべての広告をスキップする。
ｆ．このコンテンツに表示される広告の最大数は６である。
【００５１】
上記例から分かるように、枠ＧＰＳは、コンテンツ所有者が限りなく柔軟に異なる地理的領域に対してＡＭデータを定義できるようにする強力な概念である。ＡＭ技術の設計は、地理的境界及び様々な配信ネットワークにわたって階層型配信をサポートし、コンテンツ所有者が、コンテンツをグローバルに配信し、任意の形態のネットワーク配信トポロジをしようして、様々な地理的境界にわたって、従来のケーブル／衛星／放送／ＩＰＴＶテレビシステム、ソーシャルネットワーキングサイト、インターネットビューア、ブロードバンドコンテンツ配信、及び他の任意の形態のコンテンツ配信からの加入者の集まりを含む任意のクライアント装置への広告配置、広告販売、及び広告処理を容易に管理できるようにする。
【００５２】
ＡＭデータは、上述したものを超えて、以下が挙げられるが、それらに限定されない異なる種類の管理データも含み得る。
コンテンツファイル名−コンテンツ制作者により命名されたコンテンツファイルの名称。コンテンツ名、所有者名、コンテンツ番号、所有者ＩＤ等も含み得る。
コンテンツ長−時：分：秒：ミリ秒単位のコンテンツ時間長、又は他の何等かのフォーマット、ファイルサイズ、若しくはバイト単位のコンテンツファイル長等の他の尺度。
合計枠−コンテンツの合計枠のカウントであり、これは、コンテンツが様々なネットワークにわたって配信される場合に変更可能である。
販売枠−販売された、即ち空いていない枠数。
使用済み枠−使用され、上書きできる枠数。
空き枠−使用されていない、即ち開かれている枠の数。
枠記述子−ミリ秒単位、バイト単位、又は他の何等かのオフセット。枠へのオフセット（時間、長さ、他（ｉフレームカウント等））を含む１つ又は複数のデータフィールドであり得る。枠記述子は、枠所有者、仲介者等の他の情報も含み得る。
プレーヤ規則−クライアント装置内のコンテンツプレーヤに伝達される規則。ＡＭデータは、クライアント装置内のプレーヤソフトウェア又はクライアント装置内の限定受信ソフトウェアを有するプレーヤソフトウェアに渡されるか、又は伝達される。ＡＲＭデータは、このコンテンツ、ビジネスモデル、広告枠／アベイル、又は任意の組み合わせに対する再生制限についての情報をプレーヤ又はＣＡＳクライアントに提供する。
所有者ステートメント−コンテンツ所有者又は枠所有者によるステートメントを含むＡＲＭデータ内のオプションデータ。所有者ステートメントとしては、著作権所有権ステートメント、使用権利についての情報、枠の権利、コンテンツ又は枠の所有者についての情報、及びコンテンツ内の他のデータコンテンツ所有者又は枠所有者がコンテンツ内に配置するが挙げられるが、これらに限定されない。
【００５３】
ＡＭ枠ＧＰＳは、オプションとして、リアルタイムでの場所に基づく広告配信を小さな配信エリアに提供し、販売している製品のローカルな小売りを確立するために、地理的位置特定情報を含む。枠ＧＰＳデータは、加入者が購入（ｐｕｒｃｈａｓｅ）をヒットして製品を購入する、加入者とのインタラクティブ広告中に処理される。加入者情報が購入情報と共に返信されて、購入についての加入者情報が広告店に提供される。ＡＭデータは、広告されている製品又はサービスについての情報を要求する加入者が、プレーヤ装置上又はプレーヤ装置の制御に使用される遠隔制御装置上で「今すぐ購入（ｂｕｙ  ｉｔ  ｎｏｗ）」ボタン又は「今すぐ情報を送信（ｓｅｎｄ  ｉｎｆｏ  ｎｏｗ）」ボタンを押下することにより、情報要求を示すか、又はさらには製品を購入できるインタラクティブ広告アプリケーションをサポートする。「今すぐ購入（Ｂｕｙ  Ｉｔ  Ｎｏｗ）」ボタンは、コンテンツ配信システムオペレータ、コンテンツ所有者、又は広告主に、広告が再生された後、加入者が行動をとることを要求したことを通知する。枠ＧＰＳは、ローカル広告主情報を中央配信サイトから挿入するために使用することができる。枠ＧＰＳデータは、コンテンツ内に含めることもでき、又は他のＡＭデータと同様に、コンテンツ外部のデータを介してアクセスすることもできる。
【００５４】
要素１１６−プレーヤロックコンテンツ−以下が挙げられるが、これらに限定されないプレーヤ（クライアント）の出力ポートの制御に使用されるＡＭ又は他のデータ。
コピーワンス、コピーネバー等のコピー制御情報。
高速先送り、巻き戻し、コマーシャルスキップのディセーブル、コマーシャルのスキップを阻止するためのマーカスキップのディセーブル、マストウォッチ（must watch）等のプレーヤ制御。
プレーヤ制御が、プレーヤが従わなければならない規則をクライアント装置に示す。
アナログ出力ポートディセーブル、ＨＤＭＩ／ＨＤＣＰ保護出力のみ、ＤＴＣＰ許可、Ｓ−ビデオ許可等。
【００５５】
プレーヤロック又は広告ロックは、コンテンツ所有者又は枠所有者が所有権（永久的又は一時的）ステートメントをＡＭデータに配置するセキュリティ構造もサポートする。ＡＭデータ内の広告ロックデータは、加入者又は閲覧者が閲覧中のコンテンツの使用データ又は他のデータを伝達する。例示的な一例において適用される規則は、制御再生情報をコンテンツプレーヤに伝達する。例えば、ＡＭデータにより、広告データが「マストビュー（must view）」であることが示される場合、広告ロックは、コンテンツスキップを広告の持続期間（又はＡＲＭデータが示す持続時間）中、コンテンツスキップ（高速先送り）をディセーブルする。サポートされる多くの異なる種類のＡＲＭ規則があり、新しい種類が将来において定義されるであろう。システムの本発明による一要素は、広告ロックが、コンテンツに定義されたＡＲＭデータを施行することである、ということである。広告ロックの本発明による別の要素は、枠所有者管理を提供し、枠所有者及び権利譲渡を記述したＡＲＭデータに基づいて、どの広告をコンテンツに表示すべきかを解決することである。
【００５６】
広告権利管理（ＡＲＭ）、広告権利管理データ（ＡＭデータ、又は広告ＤＲＭは、本発明内に含まれるデータと共に本発明の異なる態様を説明するために使用される用語である。これら用語は、コンテンツの使用に対する権利及び制限を伝達するデータを指すためにも使用されると共に、広告枠（仮想又は現実）の管理に使用されるデータ、プレーヤ、広告配信、及びコンテンツに関連付けられた広告を制御するためのコンテンツデータも提供する。ＡＲＭデータは、コンテンツプレーヤ、コンテンツプレーヤのプレーヤ部分、又は消費アプリケーションに対して、このコンテンツに関連付けられた権利及び制限を命令するビジネス規則を含む。ＡＲＭデータの例としては、以下が挙げられる。
ａ．マストウォッチ。この広告は閲覧されなければならず、スキップ又は置換できない。
ｂ．ターゲットＯＫ。この広告はターゲット広告で置換できる。
ｃ．ターゲットのみ。この広告は、ターゲット広告が利用可能な場合、ターゲット広告で置換されるべきである。
ｄ．特定の日付まで、又は特定数のターゲット広告が配信されるまでターゲットのみであり、特定の日付になった場合、又は特定数のターゲット広告が配信された場合には、広告権利規則内の次の規則に切り替わる。
ｅ．広告は特定の日付に期限切れする。
ｆ．マストウォッチワンス又はマストウォッチｎタイムズ。カウントが、ユーザが装置の高速先送り又はデータスキップ機能を使用して広告をスキップできるようになるでに、ビデオが何回閲覧されなければならないかを示す。
ｇ．広告枠の販売又は譲渡後にＡＲＭデータ内で説明されるエンティティにより再販又は管理される広告枠。
ｈ．広告枠データを置換する。
ｉ．広告枠データを続くデータで置換する。
ｊ．広告枠を除去又は追加する。
ｋ．「ｎ」回のコマーシャルスキップ後、広告を見なければならない。
ｌ．長い一時停止時間（「ｎ」秒後）、広告が表示され、それにより、閲覧者が戻ったとき、広告を見て、「再生（ｐｌａｙ）」を押下して再開する。
【００５７】
１１４−オプションの仲介者ＩＤ及びデータ−このフィールドは、コンテンツのオークション／仲介／再販又は広告関連のアクティビティの管理を担当するエンティティを識別する、広告またはコンテンツの仲介者に関連するデータを含む。コンテンツ若しくは広告枠の販売／再販又は広告枠若しくはコンテンツの仲介／オークションを担当する仲介者は、広告枠を含むコンテンツの任意の部分を管理することができる。
【００５８】
１１８−コンテンツ又はプログラムＩＤ及びデータ−コンテンツ又はプログラムの識別子。コンテンツ識別子はオプションであり、一実施形態では、グローバル的に一意であり、コンテンツをこの単一の識別子から識別することができる。コンテンツ又はプログラムＩＤは、ＡＭデータに基づいて、又はＵＳケーブル企業のＣａｂｌｅＬａｂｓ指定のメタデータ等の既存のコンテンツ又はプログラムＩＤメタデータを使用して非ＡＭデータに基づき得る。コンテンツ又はプログラムＩＤが、ＣａｂｌｅＬａｂｓ協会により指定されるようなレガシーデータを使用する場合、データは、コンテンツ外部に記憶されたＡＭデータをコンテンツに関連付けて作成され、この関連付けはレガシー（非ＡＭデータ）コンテンツ又はプログラムＩＤに基づく。
【００５９】
要素１２０−広告権利ＩＤ又はヘッダ−このデータフィールドは、ＡＭデータ又はコンテンツのヘッダ情報又は識別情報を含むと共に、コンテンツの挿入ポイント及びコンテンツ所有者についてのオプションの情報も含む。広告権利ヘッダは、コンテンツ内の帯域で、コンテンツ内の別個の仮想チャネルで（別個のＰＩＤ、ストリームＩＤ、マルチキャストアドレス、又は別個のファイルデータ）、又はコンテンツとは別個のファイルダウンロード、別個のデータチャネル、若しくはデータがコンテンツ内に含まれない他の手段等の別個の配信方法を介して配信することができる。広告権利ヘッダは、本明細書において説明するデータフィールドのうちの任意の１つ又は複数を含み得る。このコンテンツ内の枠のオプションの枠インデックスを含む。
【００６０】
要素１２２−所有者名、所有者ＩＤ、枠所有者名、枠所有者ＩＤ、又は他のＩＤ−枠の所有者を直接（Ｆｏｘ又はＰｒｏｃｔｅｒ  ａｎｄ  Ｇａｍｂｌｅにより所有される）又は間接的に（ルックアップを介して）示すＡＭデータ。個々の各枠が一意の所有者により所有されてもよく、１人の所有者が、コンテンツ内のすべての枠を所有してもよく、又はコンテンツ内の枠の所有権を幾人かの所有者で共有してもよい。一般に、枠又はアベイルの所有者は、コンテンツ内の広告枠又はアベイルに対する一時的又は永久的な権利を所有する人、企業、又はエンティティである。仮に枠権利が他に販売されなかった場合、枠所有者の一例はコンテンツ制作者である。枠所有者の別の例は、前の枠所有者から枠に対する権利を購入する（又はレンタル又はリースする）人、企業、又はエンティティである。任意の形態の商取引又は電子商取引が、オークション、リアルタイムオークション、販売、リース、レンタル、取引、交換、貸し出し、贈与、及び他の任意の形態の権利譲渡を含め、枠の販売、レンタル、リース、又は権利譲渡に適用可能なことが想定される。
【００６１】
要素１２４−所有者／枠／他の管理データ−コンテンツの支払い規則、枠仲介規則、プレーヤ規則、及び枠の制御、安全化、又は管理に使用されるか、若しくはオプションのＡＲＭデータ１０８の枠ポインタ１２５により指される他のオプションデータ等の、コンテンツの所有者に関連付けられた任意の種類のデータ。所有者データは、コンテンツ制作前、コンテンツ制作中、加入者への配信前、又は加入者若しくは閲覧者がコンテンツを閲覧若しくは消費する前に、枠所有者が購入（又はリース、枠の権利取得）した場合、枠所有者であってもよい。このフィールドは、コンテンツ、アベイル、又はアベイル群に関連付けられた権利を含み得る。コンテンツ内の権利の例としては、置換ＯＫ、枠仲介ＯＫ、枠オークションＯＫ、仲介不可、置換不可、置換ＯＫであるが、特定の領域では置換不可、セキュアクライアント、非セキュアクライアント、モバイル装置、ポータブルメディアプレーヤ、若しくはＰＣでの置換ＯＫ等が挙げられるが、これらに限定されない。権利表現言語データのようなデジタル権利管理（ＤＲＭ）を使用して、所有者／枠／仲介管理データの使用及び権利情報を伝達することができる。
【００６２】
コンテンツの使用中又はダウンロード中、広告管理アウェア装置は、広告権利データを認識し、装置に適切な広告権利制約をコンテンツに適用する。例えば、コマーシャルによりサポートされるコンテンツの場合、コマーシャルスキップをなくす広告権利制約が、ビデオプレーヤに、ビデオの再生中のタイムシフト（高速先送り）をディセーブルするように命令する。別の例は、広告権利データにより、マストウォッチワンスが示される場合、タイムシフトは、ビデオコンテンツが再生される最初のときのみディセーブルされ、ユーザがマストウォッチワンスの広告権利を有する広告データ前のビデオセグメントまで巻き戻した場合、プレーヤは、前回に１回見られた広告データのユーザによる高速先送り（スキップ）を許す。
【００６３】
要素１２４／１１７−他の枠データ、他の所有者データ、又は他のデータ−コンテンツ所有者、コンテンツの再生規則、枠仲介規則、プレーヤ規則、及びオプションとして、ＡＲＭデータ１０８に続く枠の制御、安全化、仲介、若しくは管理に使用されるか、又はオプションのＡＲＭデータ１０８の枠ポインタ１２５により指される他のデータが挙げられるが、これらに限定されないＡＭ処理の他の側面に関連付けられたデータ。所有者データは、コンテンツ制作前、コンテンツ制作中、加入者への配信前、又は加入者若しくは閲覧者がコンテンツを閲覧若しくは消費する前に、枠所有者が購入（又はリース、枠の権利取得）した場合、枠所有者であってもよい。
【００６４】
要素１２５−枠ポインタ−これは、このＡＭデータブロック１０８が管理する実際の枠へのポインタである。枠ポインタは、ＡＭデータブロック１０８が枠の管理に使用することができ、管理される枠１１０の直前にある必要はない。ＡＭデータ１０８は、実際のコンテンツとは別個に配信することができ、枠ポインタが、これ（ＡＭデータブロック１０８）が適用される実際のアベイル又は枠を非難するために使用される。ＡＲＭデータブロック１０８は、管理される最初の枠に１つの枠ポインタを有することができ、この場合、その他のすべての枠は同じデータを使用することになる。即ち、同じＡＲＭデータブロック１０８データを共有する枠群を示す１つの枠ポインタを有することができる。枠ポインタと枠との間に１：１の対応性がある必要はない。同様に、ＡＲＭデータブロック１０８と枠との間に１：１の対応性がある必要はない。枠ポインタは、コンテンツファイル内の枠ＩＤ又は枠のロケーションのファイルオフセット若しくは枠の位置特定に使用される他のインジケータを指し得る。任意の形態のポイント／回り道をＡＭデータのうちの任意またはすべての部分に適用し得る。
【００６５】
他のＡＭデータは、コンテンツ制作者により命名されるコンテンツファイルの名称であるコンテンツファイル名も含み得る。コンテンツ名、所有者名、コンテンツ番号、所有者ＩＤ等も含み得る。
分単位でのコンテンツ長−時：分：秒：ミリ秒単位又は他の何等かのフォーマットのコンテンツ時間長。
コンテンツファイル長  バイト単位でのファイル長。
合計枠  コンテンツの合計枠のカウント。
販売枠  販売された、即ち空いていない枠数。
使用済み枠−使用され、上書きできる枠数。
空き枠−使用されていない、即ち開かれている枠の数。
枠のミリ秒オフセット、バイト、又は他の何等かのオフセット  枠に対するオフセット（時間、長さ、他（ｉフレームカウント等））を含む１つ又は複数のフィールドであり得る。
プレーヤ規則  プレーヤに伝達される一般規則。ＡＲＭデータは、クライアント装置内のプレーヤソフトウェア又はクライアント装置内の限定受信ソフトウェアを有するプレーヤソフトウェアに渡されるか、又は伝達される。ＡＲＭデータは、このコンテンツの再生制限についての情報をプレーヤ又はＣＡＳクライアントに提供する。
【００６６】
リポートアドレス  このコンテンツのログ記録データを送信すべきアドレス（ネットワーク又はＤＮＳアドレス）。コンテンツに１つのデフォルトであってもよく、又は各枠がそれ自体のログ記録アドレスを有してもよい。プレーヤは、オプションとして、コンテンツの利害関係者（コンテンツ所有者、コンテンツ実施権者、枠所有者、枠仲介者等）のうちの１つの公開鍵を使用して公開鍵暗号化により保護されたこのコンテンツのログデータをリポートアドレスに送信する。
【００６７】
要素１２６−ＡＭデータの任意の部分への署名−このフィールドは、ＡＭデータ１０８のうちの部分又はすべての暗号化デジタル署名を含む。例としては、所有者名又はＩＤ１２２、所有者／枠データ１２４、及びオプションの枠ポイント１２５データへのデジタル署名が挙げられる。デジタル署名等のデータの署名又は認証に使用される任意の形態の暗号化処理をこの処理に使用し得る。枠が異なるエンティティにより仲介、再販、又は管理される場合、複数の署名を含む他のデジタル署名をＡＲＭデータブロックに追加してもよい。データハッシュ若しくはデータへのデジタル署名、公開／秘密鍵暗号化、任意の形態のデータ認証等の任意の形態の暗号セキュアデータ認証方法。コンテンツの所有者、配信者、又は他のエンティティは、Ｖｅｒｉｓｉｇｎ又は均等物等の公開信用ルートを使用して暗号化データを作成する。公開信用ルートは、デジタル証明書等のコンテンツ所有者又は配信者の暗号化認証データに署名する。
【００６８】
要素１２７−ＡＭ枠ＩＤ−ＩＤに関連付けられた枠又はアベイルのオプションのＡＭ枠ＩＤ番号。一例では、枠ＩＤはグローバル的に一意であり、個々の枠は、グローバルＡＭ枠ＩＤを介してグローバルに識別可能である。しかし、オプションのＡＭ枠ＩＤは、コンテンツ及び枠のタイムオフセット等の他のデータ内であっても一意である必要はなく、又は枠カウントを、コンテンツ内の枠の識別に使用してもよい。別の例では、コンテンツそれ自体内にＡＭデータがなく、すべてのＡＭデータ又はＡＭデータの部分は、別個のデータソースから検索される。
【００６９】
要素１３０−枠−実際のアベイル、枠、又はアベイル、枠、又は他のＡＭデータの場所へのマーカ若しくはリンク。枠は管理を行われてもよく、又は管理されなくてもよい。管理されない枠は、ＡＭデータを有さない枠であり、コンテンツ内の枠のすべて又は部分を管理してもよく、又は管理しなくてもよい。システムによっては、すべての枠が管理されず、コンテンツ内のＡＭデータがない。コンテンツ内にＡＭデータがない例では、ＡＭデータは、コンテンツ以外の別のソースから検索される。図１では、枠は、広告が挿入されるコンテンツ内のスペースであり、通常、コンテンツ制作者又は配信者により計画される広告スペース量のサイズである。
【００７０】
ＡＭデータは、コンテンツ作成中又は配信中に随時、多くの異なる方法でコンテンツに追加される。図２は、コンテンツ２１０「Ｃ」、レガシーアナログ、デジタル、又は両方のスプライスキュートーン２１２  ＳＣＴ、及び広告挿入又はスプライスが行われる実際のスプライスポイント２２０ＳＰを含む元のコンテンツ２０５の簡略図を示す。
【００７１】
ＡＭデータを有するコンテンツが図２における要素２０８に示され、元のコンテンツ内のコンテンツ２１０は保持され、広告１１３及び１１３ＢのＡＭデータが追加されている。この例では、２つの広告が示され、コンテンツ内の管理される広告の数に基づいて、任意の数のＡＭデータフィールドを追加することができる。ＡＭデータフィールド１１３は、システムがどのように導入されるかに基づいて、本特許出願において説明されるように、ＡＭデータフィールドのうちの任意又はすべての部分を含む。
【００７２】
本発明の一実施形態では、広告管理データ階層が確立され、ＡＭデータはより高いソースに遡って認証されて、より高いソース（コンテンツ所有者、コンテンツ配信者等）が広告を挿入でき、ＡＭデータ及び処理を安全化し管理できるようにする。任意のデータ認証方法を使用して、信用ドメイン（又は信用階層）を確立することができ、一例は、書籍（非特許文献１）に記載されるようにＷｉｎｄｏｗｓ  ２００３サーバに使用されるＰＫＩ信用階層等の公開鍵基盤ＰＫＩである。ＰＫＩを使用する場合、信用は、システムルート証明機関により確立される。階層信用モデルは、複数のＣＡ及び複数のデジタル証明書からなり、異なる階層にあるＣＡ間に明確な上下関係を確立する。ＡＭデータ認証の一例では、１つ又は複数のルートＣＡが、ＡＭ技術を使用して各コンテンツ所有者、スタジオ、又はコンテンツ作成者に対する証明書を確立する。コンテンツ内にあるか、又はコンテンツに関連付けられるコンテンツ所有者のＡＭデータは、システム信用ルートを使用してコンテンツ所有者の信用性を検証することにより認証されるコンテンツ所有者の公開鍵を使用することにより認証される。図３は、ＡＭデータ１１３、スプライスポイント２２０、コンテンツ２１０、その後に続く第２の広告からなる広告の簡略化された例を示す。図３では、指示子＜ＣＯ＞を含むＡＭデータ１１３は、このデータフィールドがコンテンツ所有者＜ＣＯ＞署名の証明書に遡って認証される。認証の任意の種類の暗号化（ＰＫＩ、対称、非対称等）を適用でき、＜ＣＯ＞指示子は、データがコンテンツ所有者に遡って認証されることを示す。図３において２番目の広告は、指示子＜ＣＯ＞及び＜ＢＲ＞を有するＡＭデータ１１３Ｂを含み、これは、コンテンツ所有者＜ＣＯ＞により認証された仲介者＜ＢＲ＞により管理される仲介者広告枠であり、認証又は信用階層連鎖は、＜ＢＲ＞認証が＜ＣＯ＞により署名されていること、及びシステム信用ルート証明書又は信用状を使用して＜ＣＯ＞の認証を検証することにより、＜ＣＯ＞が認証されていることをチェックすることにより検証される。柔軟で様々な信用階層が、システム信用ルートに遡って様々な署名を検証することにより作成される。一例では、コンテンツ所有者認証データ＜ＣＯ＞は、他のエンティティの認証にしようされる。しかし、システム信用ルートを使用してのエンティティの認証、又はコンテンツ配信者を使用してのエンティティの認証を含め、他の認証モデルをサポートすることもできる。各ＡＭ管理広告枠を動的に、別のエンティティに割り当てし直し、異なるエンティティに割り当てし直し、又は異なるエンティティにより管理し得る。例えば、図３では、スプライスポイント２２０Ｂについての＜ＣＯ＞及び＜ＢＲ＞信用階層からなるＡＭデータ１１３Ｂは、広告代理店（図示せず）との追加された追加エンティティを有することができ、その場合、広告代理店が実際の広告データ（ビデオ、オーディオ等）を配置する。この例では、仲介者は広告スペースを広告代理店ｘに割り当て、認証階層は＜システム信用ルート＞＜ＣＯ＞＜ＢＲ＞＜広告代理店ｘ＞である。コンテンツ所有者により権限付与された仲介者は、次に、広告代理店ｘに権限付与した。これと同���例では、広告代理店ｘのＡＭデータで仲介者データを置換することができ、広告代理店ｘの認証は、仲介者が広告代理店に権限付与したことを示すことができ、これは、＜広告代理店ｘ＞認証が仲介者＜ＢＲ＞により権限付与されたことを検証し、次に、連鎖の残りを検証することにより検証することができる。信用階層及び信用ドメインを検証することにおける様々な変更をＡＭデータの検証に使用してもよい。追加のＡＭデータを細分された枠に追加することにより、１つのアベイル又は広告枠をさらなるアベイル又は枠に細分することができる。例えば、１分間アベイルを、ＴＶ又は時間計量性アベイルを放送するための４つの個々の１５秒間広告枠に細分することができる。個々の１５秒間広告枠のそれぞれは、それ自体のＡＭデータを含む。アベイルは、異なるエンティティに販売することができ、配信者又はコンテンツ制作者以外のエンティティにより管理することができる。例えば、コンテンツ制作者は、アベイルを製造業者に販売し、次に、そのアベイルを購入した製造業者は、選択した様式が何であれ、その様式でアベイルを管理することができる。
【００７３】
本発明の一実施形態では、広告管理データ階層が確立され、ＡＭデータはより高いソースに遡って認証されて、より高いソース（コンテンツ所有者、コンテンツ配信者等）が広告を挿入でき、ＡＭデータ及び処理を安全化し管理できるようにする。任意のデータ認証方法を使用することができ、一例は、書籍（非特許文献１）に記載されるようにＷｉｎｄｏｗｓ  ２００３サーバに使用されるＰＫＩ信用階層等の公開鍵基盤ＰＫＩである。ＰＫＩを使用する場合、信用は、システムルート証明機関により確立される。階層信用モデルは、複数のＣＡ及び複数のデジタル証明書からなり、異なる階層にあるＣＡ間に明確な上下関係を確立する。ＡＭデータ認証の一例では、１つ又は複数のルートＣＡが、ＡＭ技術を使用して各コンテンツ所有者、スタジオ、又はコンテンツ作成者に対する証明書を確立する。コンテンツ内にあるか、又はコンテンツに関連付けられるコンテンツ所有者データは、システムルートの公開鍵を使用してコンテンツ所有者の信用性を検証することにより認証されるコンテンツ所有者の公開鍵を使用することで認証される。コンテンツ配信チェイン内の様々なエンティティは、システム信用機関又は信用ルートに登録し、既知の信用機関により署名又は認証された証明書、認証データ、及び鍵を有する。信用階層及び登録が確立される多くの異なる方法があり、本発明は、ＰＫＩ／Ｘ．５０９ベースの技術を含む複数の技法のうちの任意の１つの使用も想定する。配信チェインに含まれる任意又は全てのエンティティは、証明機関（又は均等物）に登録し、登録されたエンティティを検証することができる。登録プロセスをどのように実行できるかについての一例は以下である。
ａ．配信チェイン内の任意のエンティティが、信用機関により発行されるＸ．５０９デジタル証明書（又は同様の信用状）に登録し、信用機関Ｘ．５０９証明書を受信、その証明書により認証される。
ｂ．信用機関又は別のエンティティが、権限付与されたエンティティのデータベースを保持する。
ｃ．処理中、ＡＭデータの信用性が検証される。
ｄ．ＡＭデータが正しく検証された場合、ＡＭデータはＡＭ処理に使用され、ＡＭが正しく検証されなかった場合、ＡＭデータは無視され、オプションとして、偽データとしてログ記録される。
ｅ．証明書取り消しリストの検証処理等の他の典型的な信用機関機能は、本発明ではオプションである。
【００７４】
広告権利システムを構成する任意のデータ項目又は全てのデータ要素は、公開／秘密暗号化技法又は対称暗号化技法を使用して安全化又はデジタル署名することができる。公開／秘密鍵暗号化（ＲＳＡ、ＰＫＩ、又は他）が使用される場合、コンテンツ所有者（又は均等物）の秘密鍵で署名されたコンテンツ所有者データが、広告権利データを安全化する。
【００７５】
本発明は、オプションとして、ＡＭデータ階層を作成し、コンテンツ所有者は、コンテンツ管理チェイン内の他のエンティティを認証し、又は管理権をコンテンツ管理チェイン内の他のエンティティに渡すことができる。例えば、広告仲介者に、コンテンツ所有者に遡って検証されたコンテンツ内の１つ又は複数の広告を仲介する権限を付与し得る。この権限付与／検証がどのようにサポートされるかの一例は、コンテンツ所有者又はシステム信用ルートデジタル証明書に遡ってのデジタル証明書確認を使用して、仲介者証明書のデジタル証明書署名チェインを検証することによる。ＡＭデータ階層の別の例では、コンテンツ所有者は仲介者証明書に署名することができ、コンテンツ所有者又はシステム信用ルートデジタル証明書に遡っての署名のデジタル証明書確認を使用して、仲介者証明書のデジタル証明書署名チェインを検証することにより、仲介者が追加データ（例えば、図１におけるオプションフィールド１１４）をコンテンツ所有者に遡って検証できるようにする。
【００７６】
デジタル署名又は暗号化署名は、任意の１つ又は複数のＡＭデータフィールドに適用し得る。本発明の一態様により、１つ又は２つのフィールドのみならず、任意のデータフィールドに署名できることが予想される。枠管理モードの多くのモードのうちのいずれの１つが適用中であるか、及びデータに適用される署名階層に応じて、他データフィールド１２８内のデータも同様に、１つ又は複数の署名で署名されることが予想される。
【００７７】
上述した信用階層に加えて、デジタル暗号化又は暗号化デジタル署名を任意の１つ又は複数のＡＭデータフィールド又はそれらの組み合わせに適用し得る。１つ又は２つのフィールドのみならず、任意のデータフィールド又はフィールドの組み合わせを暗号化、ハッシュ化、且つ／又は署名できることが本発明の一態様により予想される。枠管理モードの多くのモードのうちのいずれの１つが適用中であるか、及びデータに適用される署名階層に応じて、他データフィールド１２８内のデータも同様に、１つ又は複数の署名で署名されることが予想される。
【００７８】
ＡＭデータは拡張可能であり、各配信ネットワーク又はさらには各オペレータ、スタジオ、又はコンテンツ制作者（個々に、又は集合的にエンティティと呼ばれる）は、各自の広告権固有データ又はオペレータ若しくはネットワーク固有の広告権利データの部分を、コンテンツ配信チェイン内の任意のポイントで追加又は作成することができる。広告権利データ又は追加の広告権利データ（コンテンツ所有者により追加される広告権利データに加えて）は、コンテンツ作成者から始まってコンテンツを消費するクライアントソフトウェア又は装置まで、コンテンツ配信チェイン内の任意のポイントで挿入することができる。例えば、Ｖｅｒｉｚｏｎ等の大規模なコンテンツネットワークオペレータは、追加のＶｅｒｉｚｏｎ固有ネットワーク広告権利データを、Ｖｅｒｉｚｏｎネットワークを介して配信されるコンテンツに追加することができる。このデータは、クライアント装置により、又はクライアント装置に接続するネットワークエッジ箇所において、又はコンテンツプロバイダからコンテンツを受信する際、又はネットワークコアにおいて、又はネットワークの他の任意のロケーション又は部分（物理的又は仮想的）において追加し得る。したがって、コンテンツ所有者ＡＲＭデータは、オペレータ追加のＡＲＭデータ、広告追加のＡＲＭデータ、広告仲介者ＡＲＭデータ、又はさらにはクライアントプレーヤ追加のＡＲＭデータにより補足し得る。１つ又は複数のＡＲＭデータ挿入ポイントがサポートされることが本特許出願により想定される。ＡＲＭデータ処理は、ＡＲＭデータ内に含まれるビジネス規則間の競合を解決する論理を含む。競合解決策の一例は、コンテンツ所有者が、ＰＶＲ／ＤＶＲが許可されていることを示すＡＲＭデータを挿入し、オペレータが、ＰＶＲ／ＤＶＲをディセーブルするＡＲＭデータを有するコンテンツ所有者データを上書きする場合である。クライアント又はネットワーク内の他の任意の場所での競合解決処理は、両方のＡＲＭデータセットを検出し、２つ以上のＡＲＭデータセットのうちの一方を無視、スキップ、又は上書きする。無視、スキップ、又は上書きされるＡＭデータは、ビジネス規則に応じて、競合するデータのうちの任意のデータであり得、大半の場合、先に書き込まれたデータではなく、最後に書き込まれたＡＲＭデータセットが規則を定義するデータである。
【００７９】
各配信ネットワーク又はさらには各オペレータは、各自の広告権利固有データ又はオペレータ若しくはネットワーク固有の広告権利データの部分を、コンテンツ配信チェイン内の任意のポイントで追加又は作成することができる。告権利データ又は追加の広告権利データ（コンテンツ所有者により追加される広告権利データに加えて）は、コンテンツ作成者から始まってコンテンツを消費するクライアントソフトウェア又は装置まで、コンテンツ配信チェイン内の任意のポイントで挿入することができる。例えば、Ｖｅｒｉｚｏｎ等の大規模なコンテンツネットワークオペレータは、追加のＶｅｒｉｚｏｎ固有ネットワーク広告権利データを、Ｖｅｒｉｚｏｎネットワークを介して配信されるコンテンツに追加することができる。このデータは、クライアント装置により、又はクライアント装置に接続するネットワークエッジ箇所において、又はコンテンツプロバイダからコンテンツを受信する際、又はネットワークコアにおいて、又はネットワークの他の任意のロケーション又は部分（物理的又は仮想的）において追加し得る。したがって、コンテンツ所有者ＡＲＭデータは、オペレータ追加のＡＲＭデータ、広告追加のＡＲＭデータ、広告仲介者ＡＲＭデータ、又はさらにはクライアントプレーヤ追加のＡＲＭデータにより補足し得る。１つ又は複数のＡＲＭデータ挿入ポイントがサポートされることが本特許出願により想定される。ＡＲＭデータ処理は、ＡＲＭデータ内に含まれるビジネス規則間の競合を解決する論理を含む。競合解決策の一例は、コンテンツ所有者が、ＰＶＲ／ＤＶＲが許可されていることを示すＡＲＭデータを挿入し、オペレータが、ＰＶＲ／ＤＶＲをディセーブルするＡＲＭデータを有するコンテンツ所有者データを上書きする場合である。クライアント又はネットワーク内の他の任意の場所での競合解決処理は、両方のＡＲＭデータセットを検出し、２つ以上のＡＲＭデータセットのうちの一方を無視、スキップ、又は上書きする。無視、スキップ、又は上書きされるＡＭデータは、ビジネス規則に応じて、競合するデータのうちの任意のデータであり得、大半の場合、先に書き込まれたデータではなく、最後に書き込まれたＡＲＭデータセットが規則を定義するデータである。
【００８０】
動的仲介
広告権利は、コンテンツ配信チャネルの任意のポイントでの、又は任意の時点での広告処理、広告仲介、広告権利データ処理又は認証又は変更、及び広告置換を含む。広告権利ワークフロー及び変更の例は以下である。
１．任意の種類のコンテンツ内に、又はコンテンツ（映画、オーディオ、ビデオオンデマンド、ペイパービュー、ゲーム、ＴＶ放送、ソーシャルネットワークコンテンツ等）に関連付けて、１つ又は複数の広告枠が、コンテンツに作成されるか、又はコンテンツに関連付けられる。
２．各広告枠は、空であってもよく（単に広告を挿入可能なプレースホルダ）、デフォルト広告（例えば、デフォルト広告ビデオ）を含んでもよく、コンテンツ所有者若しくは枠の管理者により提供される実際の広告を含んでもよく、又はこの特定の広告枠の識別に使用できるａｄ＿ｓｌｏｔ＿ｉｄを含んでもよい。
３．各広告枠には、広告枠権利データが関連付けられる。例えば、「置換又は仲介なし」フラグを使用して（又は、各枠の広告権利広告ＤＲＭデータ内のデータによりこれを示すこともできる）、広告枠をロックすることができ、又は他のデータが枠の管理に使用される。又は、各広告枠は、本特許出願において説明される１つ又は複数の広告権利管理データフィールドを含むことができる。例としては、Ａｄ＿Ｓｌｏｔ＿ＩＤ、Ａｄ＿Ｓｌｏｔ＿Ｏｗｎｅｒデータ、プレーヤロックコントロール、又は本特許出願の他のエリアにおいて説明若しくは想定される他の任意のデータが挙げられる。
４．各枠は、この時点でこの枠に割り振られている特定の広告がなく、広告の動的な仲介が、コンテンツ配信中、配置時、又は加入者に提供される広告の広告配置処理中に行われることを意味する「オープンエンド」要件を有し得る。広告枠は、デフォルト広告又は「置換可能な広告」も有し得、それにより、広告をより高い価値の広告（広告主にとってコストがより高い広告）で置換し得る。
５．広告枠権利データ、広告権利データ、又は広告自体に対する広告又は広告枠の修正又は変更は、コンテンツ作成中、コンテンツ配信中、コンテンツ再生中、又はさらにはコンテンツ再配信中、あるフォーマットから別のフォーマットへ若しくはあるビットレートから別にビットレートへのコンテンツ符号変換中、又は他の任意の形態のコンテンツ修正若しくはコンテンツトランスポート中の任意の時点で行うことができる。ビデオストリームが、ＡＭデータについて監視され、ＡＭ処理が、データストリーム内で見つけられるＡＭデータ又はＡＭデータがストリーム外部の場合に関連付けられるＡＭデータを使用して行われる。
６．動的仲介は、オプションとしてコンテンツ配信中の任意の時点で行われる動的処理が挙げられるが、これに限定されない広告作成中又は広告作成後に行われる処理に基づいて処理を実行し、実際の広告（広告ビデオ又は広告オーディオ）を提供する。動的仲介処理は、この広告枠の「広告仲介者」へのオプションのリンクを含み得る広告権利データを処理する。広告枠の広告仲介者は、広告枠の所有者、貸し主、譲受人、又は管理者である。枠に２つ以上の広告仲介者が存在し得、様々な処理技法を使用して、広告枠を動的に仲介するために使用される広告仲介を解決することができる。そのような処理技法の例としては、１つ又は複数の広告仲介オークション処理サイトへのオークションが挙げられ、この場合、コンテンツ関連データ、消費者プロファイルの部分、又は消費者プロファイルの全てが、広告処理オークションサイトに提出され、広告主が、このコンテンツに対して広告を提供する機会をビッドするか、又は閲覧者が識別される場合、コンテンツを閲覧中の消費者（映画、放送チャネルを見ているか、又はオーディオコンテンツを聴いている視聴者）に基づいて広告を仲介することができる。例えば、かなり的が絞られた視聴者のメンバが閲覧中のコンテンツをオークションサイトで処理し、ＡＭデータを処理することにより、広告を挿入することができる。
７．動的広告仲介の例としては、コンテンツがコンテンツ作成者から配信システム内の他の任意のポイントに、又はその任意のポイントを通して配信中であり、コンテンツ内に含まれる広告が動的に処理される場合が挙げられる。動的広告仲介は、１つ又は複数のオペレータを通して配信中のコンテンツ、１つ又は複数の追加のネットワーク、コンテンツ卸売業者からコンテンツ小売業者に、任意の形態の１つ又は複数のコンテンツ配信オペレータ、ネットワークオペレータ摂取ヘッドエンド、ネットワークオペレータネットワークエッジ配信機器、又は任意の種類（ファイバノード（ＦＴＴＨ／ＦＴＴＣ／ＦＴＴＮ）、ＤＳＬ、ＤＳＬＡＭ、ケーブルＣＭＴＳ、ビデオヘッドエンド、ビデオオンデマンドサーバ、放送ＴＶエンコーダ、放送ＴＶ  ｍｕｘ、ケーブルネットワークＱＡＭ変調器、及び他のａｙのネットワーク機器、クライアントプレーヤ装置（ＰＣ、ＳＴＢ、携帯電話）、ケーブルモデム、ＤＳＬモデム、イーサネットスイッチ、イーサネットハブ、ルータ、ファイアウォール等）を含むが、これらに限定されないネットワーク又はコンテンツ配信システム内の任意の時点で行うことができる。
８．広告再生又は広告がコンテンツに挿入される前、後、又はその間に、広告データ、広告キュートーン、又は広告ロケーション市場（広告枠のＳＣＴＥキュートーン又は他の信号）等の広告情報が検出された場合、オプションの動的仲介が広告権利ＤＲＭデータ（又は同種のデータ）を処理する。再生又はコンテンツ内に挿入される広告は、コンテンツ及び配信ネットワークに適切な様式で再生又は挿入される。例えば、ＶＯＤ広告は、ライブ広告挿入で閲覧者画面上に再生されるか、若しくはＶＯＤファイル内に挿入され、又はプレーヤが広告ビデオを開始し、又は広告を放送しているマルチキャストチャネルにプレーヤを切り替え、又はネットワークエッジ若しくは任意の種類のネットワーキング機器が広告をビデオに追加するか、若しくは既存の広告（恐らく、デフォルト広告又は最も動的に仲介される広告ではない広告）を置き換える。
９．動的広告処理は、広告主ターゲット基準データ及びコンテンツユーザ（ビュー、リスナー、又は加入者）プロファイルデータを使用し、どの広告をコンテンツ閲覧者に配信すべきかを決定する。以下を含むがそれらに限定されない、動的に広告を仲介する処理論理を実施し得る無制限の数の方法がある。
ａ．いずれの広告が閲覧者に配信されるかを、閲覧者の過去のチャネル閲覧履歴に基づいて決定する。
ｂ．任意のソース（納税記録、閲覧により提供されるプロファイルデータ、銀行購入情報、クレジットカード情報、地理的場所、顧客ロイヤルティプログラムへの閲覧参加、閲覧者のインターネットウェブ閲覧履歴、コンテンツ使用情報等から任意の様式で収集された閲覧プロファイルデータに基づいて、配信する広告を決定する。
ｃ．閲覧者がショッピングモール、コンサート、スポーツの試合、他の任意のイベント、又は閲覧者の主な閲覧場所以外の他の任意の場所にあるときなど、閲覧者がコンテンツを積極的に使用していない時間での閲覧者の地理的場所に基づいて、広告を決定する。
ｄ．閲覧者が特定の地理的場所におり、広告主が広告をその地理的場所内の閲覧者又は個人に送信したい場合。例えば、個人（又は閲覧者）はショッピングモールにおり、広告主は、個人の携帯電話、ポータブルメディアプレーヤ、又はＧＰＳ装置に販売促進用の割引クーポンを送信するプログラムを有する。
【００８１】
動的仲介は、異なるネットワーク上で複数の種類のクライアント装置を使用してコンテンツを閲覧している加入者に対して実行することもでき、広告は、携帯電話、ＴＶ、ＳＴＢ上、及びＹｏｕＴｕｂｅ．ｃｏｍ又はＨｕｌｕ．ｃｏｍとのソーシャルサイトを介してのＮＢＣ閲覧者の加入者集約等の異なるコンテンツサービスプロバイダに接続した様々な加入者をターゲットとし、この例では、ＮＢＣの番組（例えば、Ｆｒｉｅｎｄｓ）に対する広告を、異なる集合配信ネットワーク（モバイル、ケーブル、ＹｏｕＴｕｂｅ又はＨｕｌｕ．ｃｏｍを介してインターネットで）のすべての加入者に基づいて仲介し、管理することができる。この例では、仲介又は広告更新プロセスにおいて使用されるＡＭデータは、Ｔｉｍｅ  Ｗａｒｎｅｒ  Ｃａｂｌｅを介するケーブルＴＶ、Ｓｐｒｉｎｔを介するモバイルＴＶ、又はＨｕｌｕ．ｃｏｍを介するインターネット等のコンテンツの配信ネットワークを示す。コンテンツを見ている異なるネットワーク上の加入者を集約し、広告は、異なるネットワークを介して接続している様々な加入者に配信される。Ｆｒｉｅｎｄｓ番組データのコンテンツＩＤは、ＡＭ処理により収集され、番組Ｆｒｉｅｎｄｓを見ている閲覧者へのコンテンツ配信は、Ｆｒｉｅｎｄｓ加入者プールに動的に関連付けられ、オペレータは、Ｆｒｉｅｎｄｓ閲覧者に、使用しているネットワーク又はクライアント装置に関係なく、広告を見るように的を絞れるようにする。この例では、ＡＭデータは、Ｆｒｉｅｎｄｓコンテンツ（コンテンツＩＤが既知）が、任意の配信ネットワークにわたる広告へのターゲットであることを示す。＜＜これについてより詳細に説明する＞＞。
【００８２】
管理される枠は、枠（広告を配置又は挿入できる場所）を枠の所有者又は所有者枠の権限付与された代表に関連付けることができるエンドツーエンドシステム内に含まれる処理要素により識別できる枠である。これより図３を参照すると、ＡＲＭデータ１０８は、ＡＲＭ  ＩＤ１２０及び所有者名又はＩＤ１２２を含む。ＡＲＭ  ＩＤ１２０のみが、ＡＭＭ  ＩＤ１２０とコンテンツ所有者とのリンクを含むデータテーブルを介して枠の所有者を識別するために必要であり、ここで、例により、所有者名１２２の明示的なデータフィールドを提供する。
【００８３】
枠の分割は、ビジネスモデル及び映画に基づいて、単一の枠を統計的又は動的に２つ以上のアベイルに供給できる方法を提供する。例えば、コンテンツ所有者は、映画の最初の５分間に１枠を配置するが、その最初の５分間に３つの広告が販売され、１つの広告に対する余地しかないにも関わらず、動的枠オーバーロードが３つの広告を３枠に挿入する。図３は、分割なしの１枠を示す。図３Ａは、図３に示されるような１分割の枠内の他データ１２８フィールドを使用し、第１の枠管理データセットの後に第２の枠管理データセットを有する子枠を作成することにより、１枠から作成された２枠分割を示す。第１の枠管理データセットは親と呼ばれ、第２の枠管理データセット（１２０−Ａ、１２２−Ａ、１２４−Ａ、１２６−Ａ、及び１２８−Ａ）は子、この例では、第１の子枠と呼ばれる。１枠をいくつかの枠に分割することへのサポートが予想され、新たに作成された各子枠は、子枠データを追加又は除去することにより追加又は除去することができる。図３又は図３Ａに示されるような枠情報の詳細又は枠追加処理の結果生じる導出物については、本特許出願又は処理作業の他のエリアにおいて説明される。ＡＲＭデータ１０８の目的は、「管理される」枠の作成に使用されるデータの可能な１つの表現を示すことである。
【００８４】
図４は、コンテンツ配信中に行われる動的仲介の高レベル図を提供する。図４では、アベイルに関連付けられた枠が、ステップ４１０において作成される。枠は、オプションとして、ＡＭデータの検証、動的な仲介及び監視を含め、配信中に管理することができ、これは、コンテンツ配信システム内でのオプションとしての枠管理４１２として集合的に示される。動的仲介は、配信全体を通して行われ（ステップ４１６、４１８、４２０）、広告の最終的な再生は、広告再生４３０としてクライアント装置において行われる。動的仲介は、オプションとして、ステップ４２４においてクライアントにおいて行われる。
【００８５】
ビジネスモデル
ＡＭデータは、コンテンツ所有者、オペレータ、仲介者、広告主、及び他に対して様々なビジネスモデルを確立し保護する。ＡＭデータはプレーヤロックコントロールを含み、コンテンツに関連付けられた使用規則についての情報をクライアント装置に伝達する。これら使用規則は、このコンテンツを使用する場合、又は特定のＡＭビジネス規則下で任意のコンテンツを見る場合に許可される再生機能及び許可されるクライアントコンテンツインタラクションについてクライアントに通知する。ビジネスモデル規則は、プレーヤロックＡＭデータの部分集合であり、以下を含む。
広告なし有料モデル−ユーザはコンテンツを購入でき、広告に関連するコントロール（ＡＭデータ）のうちの部分又は全ては除去又は無視される。このモデルでは、ＡＭデータを変更する必要はなく、元のＡＭデータ／規則をコンテンツ内に保持した状態でコンテンツの再配信を行うことができる。クライアント装置には、クライアントが、通常、加入者がコンテンツを購入した結果として生じる広告なしモデルで動作中であることが通知される。
補助付き有料−ユーザはコンテンツを購入でき、広告に関連するコントロール（ＡＭデータ）のうちの部分又は全ては除去又は無視される。このモデルでは、ＡＭデータを変更する必要はなく、元のＡＭデータ／規則をコンテンツ内に保持した状態でコンテンツの再配信を行うことができる。クライアント装置には、クライアントが、通常、加入者がコンテンツを購入した結果として生じる広告なしモデルで動作中であることが通知される。
無料閲覧−閲覧者が、コンテンツのユーザへのコストなしでコンテンツを使用する（見る、閲覧する、再生する、聴く、対話する等）ビジネスモデル。ＶＯＤの無料閲覧は広告を含み得る。
コンテンツクレジット−システムのユーザが、エアライン、ホテル、店等により提供されるロイヤルティ番組に典型的なクレジット、恩恵、目玉品、及び他の「特典」を受け取るユーザロイヤルティ番組。
ユーザオプトイン−ユーザが自分自身及び自分の興味を明示し、自分自身を明示したことの恩恵をかなり狙いを定めて受けとれるように要求する。
ユーザグループ−ユーザは、ターゲットとされ、グループを明示することの恩恵又はアフィリエイトを受けるために、１つ又は複数のグループの一員として自分自身を明示する。
【００８６】
ＡＭ処理は、クライアント／コンテンツプレーヤ装置を含むコンテンツ配信チェイン内の様々なポイントで行うことができる。広告挿入論理及び様々なビジネスモデルサポートの場合でのＡＭ処理の概観を図５に示す。
【００８７】
図５では、５０５において、コンテンツが受信され、５１０において、ＡＭデータが検出されるか否かがチェックされて調べられる。ＡＭデータが検出された場合、５２０において、このコンテンツの現在のビジネスモデルが復号化され、処理は、様々な（１〜Ｎ）ビジネスモデル処理ブロックのうちの１つに分岐する。有料ＴＶモデル５４０、無料ＴＶモデル５５０、ロイヤルティ番組５６０、他のビジネスモデル（図示せず）及び補助付きモデル５７０についての限られた数のビジネスモデル処理ブロックが図５に提供される。
【００８８】
図５Ａは、ＡＭデータが受信された検証される（署名（又は均等物）チェックによるデータ保全性チェック）（５７２）補助付きＴＶモデルの例を提供する。保全性チェックに合格しなかったＡＭデータの場合、ステップ５７６において、データはログ記録され、無視される。保全性チェックに合格したＡＭデータの場合、補助付きＴＶモデルのクライアントクレジットがチェックされ、顧客がいくつかのビジネスモデル基準を満たすか、又はそれら基準を超えることにより、十分なクレジットが存在する場合、広告はスキップされ、広告イベントはログ記録され、コンテンツの再生は、広告再生なしで行われる。加入者のクレジットチェックにより、クライアントが広告なしＴＶに対して十分なクレジットを蓄積していないことが示される場合、広告がこのコンテンツと共に再生され、オプションの広告仲介及びオプションの広告更新が実行される。ステップ５８２において、このコンテンツの複数の広告又はこの１つの広告を仲介可能であるか否かがチェックして調べられ、可能な場合には、仲介広告機能５８８を実行する。仲介広告機能５８８は、広告アベイルのオークションを含む任意の数の規則を使用して広告仲介を実行する。広告仲介機能５８８が完了すると、適切であれば、広告データがこの広告について識別され、仲介データを含む広告イベントがログ記録され、５８６において、広告が再生される。
【００８９】
５８２からのいいえのパスを介して、広告を仲介できない場合、正しい広告がコンテンツ内にあるか否か、又は広告置換を行うべきか否かがチェックして調べられる。広告枠を制御するエンティティからのデータにより示される、広告を置換すべきである、又は維持すべきであることを示す多くの異なる状況がある。ＡＭデータは、現在処理中の広告枠並びに広告ビデオ自体及び広告枠を制御するエンティティのＩＤ等の他のデータが、所望であれば、ステップ５９０において、新しい広告コンテンツで広告を更新できることを示す。次に、広告及び更新された広告は、プレーヤにより再生され、広告が更新された場合に行われ得る任意の広告置換を含め、広告イベントがログ記録される。
【００９０】
図５Ａでは、クレジットがステップ５８０においてチェックされ、この加入者／クライアントが広告をスキップするのに十分なクレジットを有するか否かが調べられた。様々な閾値を確立して、ユーザに提供されるビジネスモデルを決定する異なるビジネスモデル規則をサポートできる。例としては、ユーザが、オプトインしない場合、コンテンツ内の残りの広告をスキップするには、２０個の広告を見なければならないことが挙げられるが、これに限定されない。又は、ユーザがオプトインする場合、このコンテンツ内の広告をもはや見る必要がなくなるまでユーザが見なければならない広告は１０個のみである。
【００９１】
ビジネスモデル処理及びオプトイン又は援助付きモデルでの映画コストの部分の支払いに対する調整に、任意の粒度を使用し得る。
【００９２】
広告を回避できない、又は加入者が広告又は広告の部分をスキップでき、システムが広告配信を監視し、適切な広告配信規則（広告規則）を適用し、異なる加入者広告閲覧ビジネス規則及び広告スキップビジネス規則を、広告システムの監視及びログ記録と共にサポートする、配信システムを含め、様々なビジネスモデルを本発明の技術を中心として構築することができる。
【００９３】
ＡＭ処理は、ログ記録されたＡＭデータを使用することにより、様々な収益広告／コンテンツ収益共有モデルをサポートするコンテンツプロバイダ、配信者、仲介者、代理店、又は広告枠所有者まで遡って、コンテンツ内に挿入された各広告を監視し追跡することができる。例えば、コンテンツ所有者が広告の収益をコンテンツのオペレータと７０％／３０％で分割することに同意する場合、ログ記録されるＡＭデータは、加入者に配信されたすべての広告、加入者が利用中のビジネスモデル、及び他のデータを記録して報告し、正確な課金情報をコンテンツ所有者と配信チェイン内の他との間で共有できるようにする。ＡＭデータは、収益がコンテンツ所有者、コンテンツ配信者、コンテンツサービスプロバイダ、ネットワークサービスプロバイダ、又は他のエンティティ等の１つ又は複数のエンティティ間で分割される場合、広告の収益をどのように解決すべきかを示すオプションの広告解決データを含む。
【００９４】
広告配信の監視
ＡＭデータは、オプションとして、コンテンツ制作者からコンテンツ消費者及びＤＴＬＡ又は他のホームネットワーキングコンテンツ再配信技術を使用してのホームネットワーク内での加入者によるオプションの再配信までのコンテンツ配信チェイン内の任意の時点で監視される。ＡＭ監視プロセスは、オプションとして、ＡＭデータを検証してデータ保全性を検証すると共に、オプションとして、広告アクティビティを記録し報告する。図６は、コンテンツ配信ネットワーク内の異なるレイヤのコンテンツフローの高レベル図を示し、ＡＭデータは、コンテンツ配信システム内の任意の時点で挿入、処理、又は監視することができる。一例では、クライアント内のＡＭ監視は、ＡＭデータを検証し、ＡＲＭにより識別されたアベイルへの適切な挿入を追跡し、ＡＭデータ、欠落ＡＭデータ、又はハッキングされたＡＭデータをログ記録し、オプションとして、万が一アベイルが欠落又はハッキングされている場合には再生を停止させる。広告権利データを、コンテンツの冒頭に１回、又はコンテンツ内に繰り返し挿入することができ、それにより、配信ノード、交換機器、ヘッドエンド、ＡＭ監視、又はプレーヤがＡＭデータを受信し処理することができる。広告権利データは、別個のデータストリーム（又は他のストリーム又はコンテンツ内の他のデータ構造）上でコンテンツ（例えば、映画又は放送ＴＶ）と同じ帯域内で配信してもよく、又は別個のデータチャネル、別個のデータダウンロード、又はそれらの組み合わせを介して帯域外で配信してもよい。
【００９５】
図６は、コンテンツを生成する２つの異なるコンテンツ所有者６０２及び６０３を示す。ＡＭデータ６０４を有するコンテンツは、コンテンツ内にＡＭ枠を有するコンテンツである。ＡＭデータ６０５を有するコンテンツは、コンテンツに関連付けられた外部のＡＭデータを有するコンテンツであり、ＡＭデータはコンテンツ内に含まれない。図６は、オプションのソーシャル（及びケーブル、ＩＰＴＶ、モバイル配信ネットワーク等の他のサイト）用コンテンツプール仲介者を示す。コンテンツは、オプションとして、一緒にプールされて、コンテンツを広告主及びコンテンツ制作者にとってより興味あるものにする。例えば、コンテンツプール化は、コンテンツグループを管理し、プールされたコンテンツ内のアベイル時間を広告主に販売できる。複数の配信ネットワーク又は複数のオペレータにわたってクライアントをプールし、プールされたクライアントを広告主にとってより興味あるものにすることもできる。
【００９６】
オプションの広告代理店６１０へのインタフェースも示され、広告データ及び広告計画データは広告代理店から摂取することができる。
【００９７】
図６は、クロスプラットフォームＩＰＴＶ６２０、ケーブル６２２、衛星６２４、モバイル６２８、及び物理的６３０なコンテンツ配信サポートも含む。ＡＭデータは、コンテンツの有用性がＡＭデータにより損なわれないように、コンテンツに固有の方法でクロスプラットフォームコンテンツに追加される。
【００９８】
図６はいくつかのオペレータ１〜「Ｎ」を示し、ＡＭデータは、オプションとして、オペレータＩＤ及び他のオペレータ固有データを含み、オペレータに関連付けられた広告及びＡＭ処理を監視及び追跡できるようにする。加入者６５５はコンテンツ消費者である。ユーザ６６０は加入者６５５のアカウントである。クライアント装置６７０は、コンテンツの消費に使用される任意の種類のクライアントハードウェア又はソフトウェアである。オプションのクライアント装置プロファイル６８０は、通常、ターゲットとされる広告配信システムに関連付けられるようなターゲット広告プロファイリングデータである。そのような１つのターゲットとされる広告配信システムは、Michael Kulakowski及びRobert Kulakowskiにより２００９年１月４日に出願されたAdvertising Profiling and Targeting Systemという名称の（特許文献１）であり、これを参照により本明細書に援用する。
【００９９】
クライアント装置内の広告権利又はＡＭクライアント６８０は、クライアントに適切な場合、監視、プレーヤロック処理、動的広告挿入、及び他のＡＭ処理機能を含むＡＭ処理を実行する。図６は、異なるネットワークタイプ（ＩＰＴＶ６２０、ケーブル６２２等）にわたるクロスプラットフォーム配信を含む任意の種類の配信ネットワークに図の中央から底部において扇形に広がる一般的な広告管理処理を図の上部に示す。
【０１００】
ＡＭ監視は、加入者が閲覧した広告数、コンテンツ内に含まれる広告数、仲介された広告数、広告ＩＤ、コンテンツＩＤ、広告が閲覧された日時、広告への滞在時間（広告が閲覧された時間量）等の広告アクティビティを記録する。任意の監視アルゴリズムを使用でき、ＡＭ処理は１つの監視アルゴリズムに限定されない。むしろ、システムは、ＡＭデータ及び他のデータを取り込む様々な監視技法を使用して展開できる。
【０１０１】
処理中又は監視中に取り込まれたＡＭデータは、ログ記録されて、コンテンツ広告収益会計の帳尻合わせ並びにクロスオペレータ、クロスネットワーク、及びクロスビジネスモデルのコンテンツ広告収益共有又は課金の帳尻合わせに使用できるリポートが作成される。ＡＭ監視は、複数のオペレータ及び複数のネットワークにわたってデータを取り込み、クロスオペレータ／ネットワークビジネスモデル及び課金の帳尻合わせを可能にする。クライアント機器、サーバ機器、又はネットワーク機器内のＡＭデータ監視は、ＡＭデータを監視して記録し、広告の再生がコンテンツ配信中に不正に回避されなかったことを検査する。コンテンツ配信チェインに沿ってチェックを行い、ＡＭデータを使用して、正確な数の広告がコンテンツ内に含まれることを検証し、又は各アベイルにＡＭデータが関連付けられていることを検証することができる。
【０１０２】
ＡＭデータ挿入機器は、ＡＭデータをコンテンツに書き込むか、又はＡＭデータをコンテンツに関連付け、ＡＭシステム機器は、動的仲介及び広告枠分割処理の追跡を含み、アクティビティをログ記録し、それにより、コンテンツに関連付けられた広告の正確な課金情報を得ることができる。
【０１０３】
クライアント再生ロック及びクライアントがコンテンツを再生したことの検証、プレーヤ装置がコンテンツ内の広告権利規則を回避しなかったことを検証するクライアント機器、サーバ機器、又はネットワーク機器による処理。
【０１０４】
本発明のＡＭデータ及び処理要素は、コンテンツが、ＰＣ、ＳＴＢ、ＤＶＤ／ブルーレイ／ＨＤ−ＤＶＤプレーヤ、携帯電話等の異なるクライアント装置で使用又は消費されるクロスプラットフォームコンテンツ配信システムに適用される。広告は、ＩＰＴＶネットワーク、ケーブルネットワーク、ブロードバンドインターネット接続、モバイル又は他のワイヤレスネットワーク、及び他の種類のネットワーク等の異なる配信ネットワークにわたって配信することができ、ＡＭ処理は様々なネットワーク構成要素又はクライアント装置に供給される。
【０１０５】
実際のＡＭデータ構造及び二進フォーマットは、共通フォーマットを使用してもよく、又はケーブルＴＶ版のＡＭデータとは異なるデータフォーマットを使用するモバイルビデオで使用されるＸＭＬデータ等の異なるＡＭデータフォーマットを使用してもよい。本発明による要素は、任意の種類のメッセージフォーマットを利用することができる。
【０１０６】
【表２】
2011529231.tif 000004
2011529231.tif 000005
2011529231.tif 000006
【０１０７】
上記表は、コンテンツ及びコンテンツ枠の管理に使用されるデータのうちのいくつかについての詳細を提供する。実際のデータは、（コンテンツ内に記憶される）に追加してもよく、又は実際のデータへのアクセスに使用されるデータリンクを使用してアクセスしてもよい。上述した枠データ及び本特許出願内で説明される他の任意のデータは、コンテンツ内に埋め込んでもよく、別個の広告管理データファイルを介してアクセスしてもよく、又はこれら両方の組み合わせがコンテンツに追加されて、広告の管理に使用される他のデータにコンテンツをリンクする。
【０１０８】
枠所有権
コンテンツ内の個々の枠及び枠群は、ＡＭデータを使用して管理される。管理は、コンテンツの所有者又は作成者を識別し、アベイルをコンテンツに追加することにより開始される。コンテンツアベイルはＡＭ識別子を受信し、それにより、コンテンツ内の１つ又は複数のアベイルが管理される。ＡＭデータは、コンテンツに追加されるか、又はコンテンツに関連付けられ、コンテンツ所有者を識別し、他のＡＭ関連の管理データと共にアベイルを識別する。ＡＭデータがアベイルに関連付けられると、コンテンツ所有者、コンテンツ所有者の仲介者、又はアベイルを購入した任意の人は、ＡＭデータ及びＡＭデータにより表される暗示される所有権をアベイルの管理に使用する。ＡＭデータの使用を通して、広告販売、再販、及び広告の動的仲介に対する様々なビジネスモデルがサポートされる。アベイルへの権利が確立され、アベイルに関連付けられたＡＭデータを追加、変更、又は削除することにより販売、仲介、再販することができる。
【０１０９】
ＡＭデータはアベイルの所有者を識別し、コンテンツ所有者又は別の権限付与されたエンティティが、実際のコンテンツ権利を販売せずにコンテンツの広告配置「枠」を販売できるようにする。例えば、大規模企業は、映画内の第１の広告枠を購入することができる（定義された時間又は永続的に）。次に、大規模企業は、企業が映画への貢献に対して受け取ることができる他の恩恵に加えて、映画制作への金融支援に金銭的に貢献することができ、映画内のその企業の広告枠が約束される。広告配置所有者は、広告枠を他の企業に販売し、広告枠を異なる国々及び世界の異なる地域にある異なる企業に販売することができる。大規模エンティティが、映画内の第１の枠を購入した場合、コンテンツ所有者は、大規模エンティティとして枠所有者を示すＡＭデータをコンテンツに追加し、次に、コンテンツ所有者、権限付与機関、又は均等物の秘密鍵を使用してＡＭデータに署名することにより、所有権データにデジタル署名するか、又は認証する。追加され署名されたこのＡＭデータは、システム信用ルートに遡って認証することができる。
【０１１０】
コンテンツ所有者に遡って追跡可能な枠又は広告管理データの管理の追跡可能チェインを作成する枠のロック及びアンロック処理。枠ロックは、ＡＭデータに適用されるセキュリティ技術であり、枠の所有権又は管理の管理チェインを提供する。
【０１１１】
ＡＭデータにおいて伝達される権利データは、エンコーダ、マルチプレクサ、広告挿入機器、及びクライアント（ＰＣ、ＳＴＢ、モバイル、ゲーム、ＰＭＰ等）に情報を提供することもできる。広告権利データは、ネットワーク機器又はクライアント装置により検出されて処理され、コンテンツ、コンテンツ権利、広告枠、広告権利、プレーヤロックコントロール、及び機器若しくはクライアント装置への他のデータについての情報を伝達する。
【０１１２】
広告再生チック  広告が実際にクライアント内で再生されたことの、クライアント装置、ネットワーク、又はサーバ装置からのフィードバック。広告再生チックの一例は、ビデオから再生された広告ビデオフレームの数のカウントである。ビデオの広告部分内に注入されるデータが検出され、カウント又は監視されて、広告の再生が確認される。クライアント又はサーバへのフィードバックを使用して、閲覧者に広告閲覧クレジットを追加し、又は適切なビジネスモデル（例えば、完全に広告サポートされるＶＯＤコンテンツ）が動作しており、回避されなかったことを保証する。
【０１１３】
ＶＯＤサーバによるクライアントへの配信そして広告を閲覧中のクライアントを検出し帳尻合わせするために、エッジ広告モニタ又はＶＯＤサーバ及びストリーミングサーバ内の広告モニタを使用してネットワークエッジロケオーションで実行される枠管理。閲覧者がチャネルを切り替える等の理由により、小さな食い違いがあり得るが、大きな食い違いは、クライアントがハッキングされたことを示す。
【０１１４】
ＡＭデータは一度挿入されるか、又はコンテンツに関連付けられ、コンテンツ所有者ライセンス契約でそのような保存が要求されるため、符号変換、翻訳、再符号化、再圧縮、フォーマット変換にわたって保存される。元のコンテンツフォーマットが変更された場合、ＡＭデータが保持された、フォーマットされた新しいコンテンツのＳＣＴＥ広告スプライスインジケータ（アナログ又はデジタル）と同様のインジケータがある。一例では、ＡＭデータは、ＳＣＴＥ広告スプライスインジケータ及びＳＣＴＥ広告挿入データを使用して、ＡＭデータフィールド及び定義のＳＣＴＥデータを拡張する。エンコーダにとっては、ＡＭはＳＣＴＥデータとして見え、エンコーダはＳＣＴＥに見えるＡＭデータを保持する。
【０１１５】
広告権利サポートがないが、プレーヤ内にインタラクティブプログラミング環境サポートを含むプレーヤは、インタラクティブプログラミング環境内でアプリケーションを実行して、本特許出願内で説明される広告権利要素のうちの任意又は全てを追加することができる。例えば、Ｊａｖａ、フラッシュ、ＯＣＡＰ、ブルーレイディスクＪａｖａ（ＢＤ−Ｊ）、マクロ処理、又は他の任意の形態のインタラクティブプログラミングサポート環境等のインタラクティブアプリケーションサポートを含むプレーヤにより再生されるコンテンツに広告権利を追加することができ、広告権利処理サポートは、インタラクティブアプリケーションサポートを使用するアプリケーションを実行することにより、広告権利保護データを使用してシステムに適用することができる。インタラクティブ装置サポートを使用する一例は、ブルーレイディスクプレーヤであり、この場合、コンテンツは広告権利データを含み、広告権利処理を含むＪａｖａアプリケーションが、ブルーレイディスクプレーヤにより実行される。このレイでは、ブルーレイプレーヤは、Ｊａｖａバージョンのみをサポートし、広告権利処理ソフトウェアは、ブルーレイプレーヤＪａｖａサポートを使用して、広告権利処理を実行する。ウェブにホストされるアプリケーションと対話できるプレーヤがあり、プレーヤが広告権利処理の部分又はウェブホストされるアプリケーションを介してプレーヤから外部の処理のすべてを実行することが想定されるイベントである。
【０１１６】
多くのコンテンツ配信システムでは、一形態のコンテンツ保護が適用されて、コンテンツの偽作を防止する。デジタル権利管理システム（ＤＲＭ）、限定受信システム（ＣＡＳ）、又はコンテンツ保護システム（ＣＰＳ）と呼ばれることがあるコンテンツ保護システムと同じ多くのセキュリティ処理ブロック又は機能を使用して、本明細書において説明される広告保護システムを構築することができる。これらシステム（ＤＲＭ、ＣＡＳ、ＣＰＳ）は、本発明からの概念を追加することにより拡張可能であり、又はＤＲＭ、ＣＡＳ、又はＣＰＳを使用して、説明されたシステムを構築し安全化することができる。
【０１１７】
本発明の教示により、上記の任意のステップ及び／又はシステム構成要素を適宜置換、並べ替え、除去してもよく、且つ／又は特定の用途にニーズに応じて追加のステップ及び／又はシステム構成要素を挿入してもよく、広範囲の任意の適したプロセス及びシステム構成要素を使用して上記実施形態のシステムを実施してもよく、本願において説明されるいかなる特定の実施形態にも限定されないことを当業者ならば容易に認識しよう。
【０１１８】
本発明の少なくとも１つの実施形態を完全に説明したが、本発明による液圧設計及びポンプ制御の他の等価又は代替の方法が当業者には明らかになるであろう。本発明について例として説明し、開示される特定の実施形態は、本発明を開示される特定の形態に限定する意図はない。したがって、本発明は、以下の特許請求の範囲の主旨及び範囲内にあるすべての変更、均等物、及び代替を包含するものである。
【図１】
2011529231.tif 000007
【図２】
2011529231.tif 000008
【図３】
2011529231.tif 000009
【図４】
2011529231.tif 000010
【図５】
2011529231.tif 000011
【図５Ａ】
2011529231.tif 000012
【図６】
2011529231.tif 000013
【国際調査報告】
2011529231.tif 000014
2011529231.tif 000015